(57)【特許請求の範囲】
【請求項１】
機器の筺体と、弾性体で形成される表示板であって少なくとも２つ以上の姿勢で前記筐体外装面に取付けることができる表示板と、を備える表示板の取付け構造であって、
前記表示板は、表示面に対して裏側の面に突設された軸であってその先端に係止爪を備える軸と、少なくとも２つの係合片であってそれぞれが鍵状突起を有する係合片と、前記係合片が設けられている側の前記表示面の裏面の端部に少なくとも２つの切り欠きと、を備え、
前記筐体外装面は、前記軸が挿通される支持孔と、前記少なくとも２つの係合片と係合する少なくとも２つの係合孔とを備え、
前記軸が前記支持孔に挿通されると、前記係止爪は前記表示板の前記軸の延在する方向への動きを規制し、
前記少なくとも２つの係合片が前記少なくとも２つの係合孔に挿通されると前記鍵状突起と前記少なくとも２つの係合孔が係合し、前記表示板が前記筐体外装面に装着され、
前記少なくとも２つの係合片は、前記表示板の長手方向と直交する方向に分割して構成される、
ことを特徴とする表示板の取付け構造。
【請求項２】
機器の筺体と、弾性体で形成される表示板であって少なくとも２つ以上の姿勢で前記筐体外装面に取付けることができる表示板と、を備える表示板の取付け構造であって、
前記表示板は、表示面に対して裏側の面に突設された軸であってその先端に係止爪を備える軸と、少なくとも２つの係合片であってそれぞれが鍵状突起を有する係合片とを備え、
前記筐体外装面は、前記軸が挿通される支持孔と、前記少なくとも２つの係合片と係合する少なくとも２つの係合孔とを備え、
前記軸が前記支持孔に挿通されると、前記係止爪は前記表示板の前記軸の延在する方向への動きを規制し、
前記少なくとも２つの係合片が前記少なくとも２つの係合孔に挿通されると前記鍵状突起と前記少なくとも２つの係合孔が係合し、前記表示板が前記筐体外装面に装着され、
前記少なくとも２つの係合片は、前記軸に対して回転対称な位置に形成され、
前記少なくとも２つの係合片の前記鍵状突起のそれぞれが前記係止爪を備える軸の反対側のみを向き、
前記表示板の前記筐体外装面側の面の曲率半径をＲ１、前記表示板を取り付ける前記筐体外装面の装着面の曲率半径をＲ２、前記表示板の前記筐体外装面側の面が前記表示面側に凸となる場合の前記Ｒ１の符号を正、前記装着面が前記表示板側に凸となる場合の前記Ｒ２の符号を正とするとき、
Ｒ１×Ｒ２＞０、かつ、Ｒ１＞Ｒ２、
Ｒ１＜０、かつ、Ｒ２＞０、
取付ける装着面が平面、かつ、Ｒ１＜０、
のいずれかを満たす、
ことを特徴とする表示板の取付け構造。
【請求項３】
機器の筺体と、弾性体で形成される表示板であって少なくとも２つ以上の姿勢で前記筐体外装面に取付けることができる表示板と、を備える表示板の取付け構造であって、
前記表示板は、表示面に対して裏側の面に突設された軸であってその先端に係止爪を備える軸と、少なくとも２つの係合片であってそれぞれが鍵状突起を有する係合片とを備え、
前記筐体外装面は、前記軸が挿通される支持孔と、前記少なくとも２つの係合片と係合する少なくとも２つの係合孔とを備え、
前記軸が前記支持孔に挿通されると、前記係止爪は前記表示板の前記軸の延在する方向への動きを規制し、
前記少なくとも２つの係合片が前記少なくとも２つの係合孔に挿通されると前記鍵状突起と前記少なくとも２つの係合孔が係合し、前記表示板が前記筐体外装面に装着され、
前記少なくとも２つの係合片は、前記軸に対して回転対称な位置に形成され、
前記少なくとも２つの係合片の前記鍵状突起のそれぞれが前記係止爪を備える軸の側のみを向き、
前記表示板の前記筐体外装面側の面の曲率半径をＲ１、前記表示板を取り付ける前記筐体外装面の装着面の曲率半径をＲ２、前記表示板の前記筐体外装面側の面が前記表示面側に凸となる場合の前記Ｒ１の符号を正、前記装着面が前記表示板側に凸となる場合の前記Ｒ２の符号を正とするとき、
Ｒ１×Ｒ２＞０、かつ、Ｒ１＜Ｒ２、
Ｒ１＞０、かつ、Ｒ２＜０、
取付ける装着面が平面、かつ、Ｒ１＞０、
のいずれかを満たす、
ことを特徴とする表示板の取付け構造。
【請求項４】
前記表示板を形成する弾性体は、ゴム、シリコンゴム、プラスチックのいずれか一つであることを特徴とする請求項１乃至３のいずれか１項に記載の表示板の取付け構造。
【請求項５】
前記少なくとも２つの係合片は、前記表示板の長手方向と直交する方向に分割して構成されることを特徴とする、請求項２又は３に記載の表示板の取付け構造。
【請求項６】
前記軸は、樹脂材料により構成されていることを特徴とする、請求項１乃至５のいずれか１項に記載の表示板の取付け構造。
【請求項７】
前記表示板の、前記少なくとも２つの係合片が設けられている側の、表示面の裏面の端部に少なくとも２つの切り欠きを備えることを特徴とする、請求項２又は３に記載の表示板の取付け構造。
【請求項８】
請求項１乃至７のいずれか１項に記載の表示板の取付け構造を有することを特徴とする雲台装置。
【請求項９】
請求項１乃至７のいずれか１項に記載の表示板の取付け構造を有することを特徴とするカメラ装置。
【発明の詳細な説明】
【技術分野】
【０００１】
本発明は、表示板の取付け構造に関し、特に２つ以上の姿勢で設置する雲台装置等の機器への表示板の取付け構造並びに雲台装置及びカメラ装置に関するものである。
【背景技術】
【０００２】
従来、雲台装置において、筐体外装面にメーカーロゴを表示したものが知られている。このような雲台装置は、正立姿勢以外にも、天吊り姿勢で設置されることがあるので、これに伴い、表示も設置姿勢に応じた向きで視認されることが望ましい。
例えば、特許文献１では、表示板の裏面に引っ掛け部が設けられた軸を突設させ、板状の部分に設けられた孔に軸を挿通し、軸の引っ掛け部にバネ部材を取付け、表示板を軸方向に付勢し、板状の部分の孔に対し回転調整可能に取り付ける構造が開示されている。
【０００３】
また、特許文献２では、表示板の取付け面に凹部を設け、表示板を外すときに表示板を押し込むと凹部に表示板が沈み込んで反対側の面を起き上がらせ、表示板を取り外すことが出来、表示姿勢を変更して取付けすることが出来る構造が開示されている。
【先行技術文献】
【特許文献】
【０００４】
【特許文献１】特許登録第４４１９９４９号公報
【特許文献２】特許登録第４２５４４３９号公報
【発明の概要】
【発明が解決しようとする課題】
【０００５】
しかしながら、上述の特許文献１に開示された従来技術では、表示板を回転調整可能に取り付けるためにバネ部材が必要で部品点数が増えてしまう。また特許文献２に開示された従来技術では、製品毎に表示板の取付け面は変化するので、表示板は製品毎に形状を変える必要があり、かつ、１８０度毎の姿勢にしか対応することが出来ない。
【０００６】
そこで、本発明の目的は、簡素な構成で、さまざまな面形状の機器の設置姿勢に応じた表示板の取付けを可能にした表示板の取り付け構造を提供することである。
【課題を解決するための手段】
【０００７】
上記目的を達成するために、本発明は、機器の筺体と、弾性体で形成される表示板であって少なくとも２つ以上の姿勢で前記筐体外装面に取付けることができる表示板と、を備える表示板の取付け構造であって、前記表示板は、表示面に対して裏側の面に突設された軸であってその先端に係止爪を備える軸と、少なくとも２つの係合片であってそれぞれが鍵状突起を有する係合片と、前記係合片が設けられている側の前記表示面の裏面の端部に少なくとも２つの切り欠きと、を備え、前記筐体外装面は、前記軸が挿通される支持孔と、前記少なくとも２つの係合片と係合する少なくとも２つの係合孔とを備え、前記軸が前記支持孔に挿通されると、前記係止爪は前記表示板の前記軸の延在する方向への動きを規制し、前記少なくとも２つの係合片が前記少なくとも２つの係合孔に挿通されると前記鍵状突起と前記少なくとも２つの係合孔が係合し、前記表示板が前記筐体外装面に装着され、前記少なくとも２つの係合片は、前記表示板の長手方向と直交する方向に分割して構成される、ことを特徴とする。
【発明の効果】
【０００８】
本発明によれば、簡素な構成で、さまざまな面形状の機器の設置姿勢に応じた表示板の取付けをすることができる。
【図面の簡単な説明】
【０００９】
【図１】本発明の第１実施例に係る、表示板の取付け構造を備えた雲台装置の斜視図。
【図２】図１をＹ視方向から見た表示部ｚの分解斜視図。
【図３】図２の構成を雲台装置内部から見た、表示部ｚの分解斜視図。
【図４】表示板４が収容部５に装着された状態を表す、図１のＸ−Ｘ断面図。
【図５】図４に対して、表示板４の係合片４Ｃが、係合孔５Ｂより抜けた状態を表す図。
【図６】本発明の第１の実施例に係る、表示板の取付け構造を備えた雲台装置の天吊時の斜視図。
【図７】表示板４の係合片４Ｃが、係合孔５Ｂより抜け、表示板４が回転可能となった状態を表す斜視図。
【図８】表示板４の係合片４Ｃの形状を別の係合片４Ｃ１に変更した図。
【図９】表示板４の係合片４Ｃの鍵状突起４Ｂが、係合孔５Ｂに付する付勢力を示す模式図。
【図１０】本発明の第２の実施例に係る表示板の取付け構造の、表示板４１と収容部５１の分解斜視図。
【図１１】図１０の構成を雲台装置内部から見た図。
【発明を実施するための形態】
【００１０】
以下に、本発明の好ましい実施の形態を、添付の図面に基づいて詳細に説明する。
【実施例１】
【００１１】
以下、図１から図９を参照して、本発明の第１の実施例による、表示板の取付け構造について説明する。図１は、本発明の実施形態に係る、表示板の取付け構造を備えた雲台装置の斜視図を示している。図示しない三脚等により支持された台座１には、ヘッド２が水平方向に回動自在に取り付けられ、このヘッド２には撮影装置が搭載されたハウジング３が垂直方向において回動自在に取り付けられている。台座１には、情報や絵、形などの方向性を有する表示部ｚが備わっている。台座１、ヘッド２、ハウジング３およびハウジング３に搭載された撮影装置によりカメラ装置が構成されている。
【００１２】
図２は図１をＹ視方向から見た表示部ｚの分解斜視図、図３は図２の構成を台座１の内部から見た、表示部ｚの分解斜視図、図４は図１のＸ−Ｘ方向から見た断面図である。表示部ｚは、表示板４と、表示板４を回転自在に収容する収容部５により構成されている。図３で示されるように、表示板４には、表示がなされている面である表示面の裏側の面の、略中央に突設される軸であって、その先端に鍵状の係止爪４Ａ１を備える軸４Ａが形成され、軸４Ａ回りに対称に、鍵状突起４Ｂが形成された係合片４Ｃを２箇所備え、ゴム、シリコンゴム、プラスチック等（以下、ゴム等と記す）の弾性体で形成されている。収容部５は、軸４Ａが挿通して回転可能に支持する支持孔５Ａと、係合片４Ｃが挿通する２箇所の係合孔５Ｂを備える。図４より、表示板４が、収容部５に装着されている時の状態を説明する。表示板４の軸４Ａが、支持孔５Ａに挿通されると、係止爪４Ａ１により表示板４の軸が延在する方向（軸方向）への動きが規制される。さらに係合片４Ｃが係合孔５Ｂに挿通されると、表示板４の弾性力により、鍵状突起４Ｂが係合孔５Ｂの縁部に対して付勢された状態で鍵状突起４Ｂが係合孔５Ｂと係合する。このことにより、表示板４は、台座１の面に形状をならいながら、収容部５に装着される。
【００１３】
図４から図７を参照して、表示板４の姿勢を変更する方法について説明する。図６は、雲台装置が天吊り設置状態の図である。この状態のときは、表示部ｚが雲台装置にならって天地逆転して視認しづらい向きになる。図４で示すように、表示板４の端部４Ｄ１に力Ｆ１と、端部４Ｄ２に力Ｆ２を加え、弾性変形させることで、鍵状突起４Ｂの係止が解除され、係合片４Ｃが係合孔５Ｂより抜ける。図５は、係合片４Ｃが係合孔５Ｂより抜けた状態を表す図である。この状態のとき表示板４は、図７で示されるように、軸４Ａを中心に回転可能となり、表示が視認しやすい向きへ回転させ、再度収容部５へ装着することが可能となる。上記の動作を行うことで、雲台装置の設置姿勢に合わせて、表示板４の姿勢を変えて装着することが可能となる。
【００１４】
このように本実施例において、情報や絵、形などの方向性を有する表示板４を、弾性変形可能なゴム等の弾性体によって形成した。また収容部５において軸４Ａを中心に回転可能に支持され、表示部ｚを備える台座１の面形状にならって取付けられるように、鍵状突起４Ｂが形成された係合片４Ｃを設けた。
【００１５】
本実施形態の効果として、表示板４をゴム等の弾性体で形成し、係合片４Ｃを係合孔５Ｂより挿脱可能に構成したので、一旦表示の向きを決めて台座１に取り付けた後でも、雲台装置の設置姿勢に応じて、表示板の姿勢を変えることが可能となる。また表示板４が弾性変形することで、さまざまな面形状にならうことが出来る。よって異なる表面形状の機器に対しても、一つの表示板４で対応することが出来、表示板としての部品を共通化することが出来る。
【００１６】
また、図３で示されるように、表示板４の係合片が設けられている側の、表示面の裏面の端部に切り欠き４Ｅを設けてもよい。切り欠き４Ｅを設けることで、端部４Ｄ１と４Ｄ２に力Ｆ１、Ｆ２を作用させることが容易となり、上述の効果に加えて、収容部５からの挿脱が迅速かつ簡単に行うことが可能となる。
【００１７】
また図８で示されるように、表示板４の係合片４Ｃを、係合片４Ｃ１のように中央部を切り欠いた形状にしてもよい。すなわち、表示板４の長手方向における両端側に設けられた係合片４Ｃを、長手方向と直交する方向である横方向に分割された複数の係合片からなる（横方向に延在する構成部分を有さない）係合片４Ｃ１としてもよい。係合片をこのように構成することで、表示板４の長手方向における両端側に設けられた係合片４Ｃ１によって、長手方向と垂直な方向である横方向（すなわち、図８中に示す矢印方向）に曲率を付するような曲げに対して剛性を高めることなく、雲台装置等の筐体装着部の横方向の曲面にもならって表示板４を装着することが出来る。
【００１８】
なお、表示板の筐体外装面側の面の曲率半径をＲ１、表示板を取り付ける筐体外装面の装着面の曲率半径をＲ２としたとき、以下の関係を満足するとなお好ましい。表示板の筐体外装面側の面が表示面（取り付け側とは反対側の面）側に凸となる場合のＲ１の符号を正、装着面が表示板側に凸となる場合のＲ２の符号を正としたとき、
Ｒ１×Ｒ２＞０、かつ、Ｒ１＞Ｒ２                  （１）
Ｒ１＜０、かつ、Ｒ２＞０                          （２）
取付ける装着面が平面、かつ、Ｒ１＜０              （３）
のいずれかを満足するように設定すると好ましい。
【００１９】
この条件を満足するように、表示板４の筐体外装面側の面の曲率半径Ｒ１と、表示板４を取付ける筐体外装面の装着面の曲率半径Ｒ２を設定することで、表示板を構成する材料の弾性による復元力により、表示板４を装着面に装着したときに、軸４Ａの反対側（反対方向）を向くように構成されている係合片４Ｃの鍵状突起４Ｂが係合孔５Ｂに対し、軸４Ａの反対側（反対方向）に働く付勢力（図９中の楕円で示した部分おける矢印で記載される力）を持って係合するため、表示板４が取付け部に遊びを有することなく安定して装着することができる。
【００２０】
また、本実施例では、表示板４の係合片４Ｃの鍵状突起４Ｂは、軸４Ａに対し反対側を向くように構成されている形態として例示したが、本発明はこれに限定されることはない。表示板４の係合片４Ｃの鍵状突起４Ｂが、軸４Ａの側を向くように構成してもよい。この場合は、
Ｒ１×Ｒ２＞０、かつ、Ｒ１＜Ｒ２                  （４）
Ｒ１＞０、かつ、Ｒ２＜０                          （５）
取付ける装着面が平面、かつ、Ｒ１＞０              （６）
のいずれかを満足するように設定すると好ましい。
【００２１】
この条件を満足するように、表示板４の筐体外装面側の面の曲率半径Ｒ１と、表示板４を取付ける筐体外装面の装着面の曲率半径Ｒ２を設定することで、表示板を構成する材料の弾性による復元力により、表示板４を装着面に装着したときに、軸４Ａの側（方向）を向くように構成されている係合片４Ｃの鍵状突起４Ｂが係合孔５Ｂに対し、軸４Ａの側（方向）に働く付勢力をもって係合するため、表示板４が取付け部に遊びを有することなく安定して装着することができる。この場合は、表示板４を取付ける装着面の長手方向外側に寸法的に余裕がなく、係合孔５Ｂの長手方向外側に、鍵状突起４Ｂが係合する係合部を構成することが困難である場合に好適であり、表示板４を取付ける装着面を表示板４の鍵状突起４Ｂが外側から挟み込むような形態で、表示板４を固定することができる。
【実施例２】
【００２２】
以下、図１０及び図１１を参照して、本発明の第２の実施例による、表示板の取付け構造について説明する。本実施例は、実施例１の形態の変形例であり、実施例１の形態と同様な箇所、部材には同一の符号を付し、詳細な説明は省略する。
【００２３】
図１０は、実施例１の図２と同様に見た表示板４１と収容部５１の分解斜視図、図１１は、図１０の構成を、台座１の内部から見た図である。図１１で示されるように、表示板４１の表示がなされている面の裏側に、鍵状突起４１Ｂを備える係合片４１Ｃが４箇所形成されており、軸４１Ａを中心に４か所が等間隔および、各々９０度の角度関係にあるものとする。また収容部５１にも係合片４１Ｃに合わせて、係合孔５１Ｂが４箇所形成されており、孔５１Ａを中心に各々９０度の角度関係にあるものとする。
【００２４】
次に、表示板４１の姿勢を変更する方法について説明する。実施例１と同様に、前記表示板４１の係合片４１Ｃの端部を４か所ともに弾性変形させることで、鍵状突起４１Ｂの係止が解除され、係合片４１Ｃが係合孔５１Ｂより抜ける。このとき表示板４１は軸４１Ａを中心に回転可能となり、雲台装置の姿勢に合わせて、姿勢を変えることが可能となる。
【００２５】
すなわち、本実施形態の効果として係合片４１Ｃを軸４１Ａ中心に９０度毎に配置したことにより、表示板４１の姿勢を９０度毎に変えることが可能となる。
【００２６】
［その他の実施例］
本発明の第１、第２の実施例において表示板４，４１の軸４Ａ，４１Ａを樹脂材料にしてもよい。樹脂材料にすることで、軸４Ａ，４１Ａと、収容部５，５１の支持孔５Ａ，５１Ａとの摩擦力が減少し、軸４Ａ，４１Ａを支持孔５Ａ，５１Ａに挿通することが容易になる。また支持孔５Ａ，５１Ａを中心に表示板４，４１を回転させることが容易となる。実施例２においては、角度調整は９０度毎としたが、９０度毎に限定はされず、係合孔５１Ｂの数を増やすことで１５度毎、３０度毎に調整出来るようにしてもよい。
【００２７】
また、実施例２においては、係合片４１Ｃを軸４１Ａに対し回転対称な位置である４箇所に設置したが、軸に対し回転対称の関係で複数の係合片を構成することによって、同様の本発明の効果をそうすることができる。また、それによって、表示板の形状や、表示板を取付ける機器の筐体外装面の形状に起因する表示板に応じた、適切な表示板の取付けを実現することができる。
【００２８】
以上、本発明の好ましい実施形態について説明したが、本発明はこれらの実施形態に限定されず、その要旨の範囲内で種々の変形及び変更が可能である。
【符号の説明】
【００２９】
４  表示板
４Ａ  表示板に突設された軸
４Ａ１  軸の先端に形成された鍵状の係止爪
４Ｂ  係合片に形成された鍵状突起
４Ｃ  表示板に突設された係合片
５Ａ  収容部に設けた支持孔
５Ｂ  収容部に設けた係合孔
【図１】
0005794675.tif 000002
【図２】
0005794675.tif 000003
【図３】
0005794675.tif 000004
【図４】
0005794675.tif 000005
【図５】
0005794675.tif 000006
【図６】
0005794675.tif 000007
【図７】
0005794675.tif 000008
【図８】
0005794675.tif 000009
【図９】
0005794675.tif 000010
【図１０】
0005794675.tif 000011
【図１１】
0005794675.tif 000012